(57)【要約】【課題】運転手の快適性を向上した車載用電子機器を提供する。【解決手段】車両が停車したことを検出する停車検出手段と、車両の走行中、情報の表示位置を変化させながら情報を表示する表示部４と、を備え、停車検出手段によって車両が停車したことを検出したときに、表示部４の表示を、情報の表示位置の変化の開始時の表示にする。【選択図】図２
2009120052.tif 000002
【特許請求の範囲】
【請求項１】
車両が停車したことを検出する停車検出手段と、
前記車両の走行中、情報の表示位置を変化させながら前記情報を表示する表示部と、を備え、
前記停車検出手段によって前記車両が停車したことを検出したときに、前記表示部の表示を、前記情報の表示位置の変化の開始時の表示にする
ことを特徴とする車載用電子機器。
【請求項２】
前記表示部の表示モードとして、前記表示部に前記情報を表示した後、スクリーンセーバ画面を表示するスクリーンセーバ移行モードを有し、
前記スクリーンセーバ移行モード実行中に、前記停車検出手段によって車両が停車したことを検出したときに、前記表示部にスクリーンセーバ画面が表示されているときは、前記スクリーンセーバ画面の表示を停止し、前記表示部の表示を、前記情報の表示位置の変化の開始時の表示にする
ことを特徴とする請求項１の車載用電子機器。
【請求項３】
前記表示部は、前記情報を表示領域内でスクロールすることにより、前記情報の表示位置を変化させながら、前記情報を表示し、
前記停車検出手段によって前記車両が停車したことを検出したときに、前記表示部の表示を、前記情報のスクロール開始時の表示にする
ことを特徴とする請求項１又は２に記載の車載用電子機器。
【請求項４】
前記表示部は、前記情報を分割し、分割した前記情報を順次表示することにより、前記情報の表示位置を変化させながら、前記情報を表示し、
前記停車検出手段によって前記車両が停止したことを検出したときに、前記表示部の表示を、前記分割した情報の順次表示の開始時の表示にする
ことを特徴とする請求項１又は２に記載の車載用電子機器。
【請求項５】
記録媒体に記録された楽曲を再生する楽曲再生手段をさらに有し、
前記情報は、前記楽曲再生手段によって再生中の楽曲に関する情報を含む
ことを特徴とする請求項１乃至４のいずれかに記載の車載用電子機器。
【請求項６】
放送信号を受信し、受信した放送信号の放送を再生する放送再生手段をさらに有し、
前記情報は、前記放送再生手段によって再生中の放送に関する情報を含む
ことを特徴とする請求項１乃至４のいずれかに記載の車載用電子機器。
【請求項７】
車両が停車したことを検出する停車検出手段と、前記車両の走行中、情報の表示位置を変化させながら、前記情報を表示する表示部と、を備える車載用電子機器の制御方法において、
前記停車検出手段によって前記車両が停車したことを検出し、前記表示部の表示を、前記情報の表示位置の変化の開始時の表示にする
ことを特徴とする車載用電子機器の制御方法。
【請求項８】
車両が停車したことを検出する停車検出手段と、前記車両の走行中、情報の表示位置を変化させながら、前記情報を表示する表示部と、を備える車載用電子機器を制御するための制御プログラムにおいて、
前記停車検出手段によって前記車両が停車したことを検出させ、前記表示部の表示を、前記情報の表示位置の変化の開始時の表示にさせる
ことを特徴とする制御プログラム。
【発明の詳細な説明】
【技術分野】
【０００１】
本発明は、車両に搭載されて使用される車載用電子機器、この車載用電子機器の制御方法及び制御プログラムに関する。
【背景技術】
【０００２】
従来、車載用電子機器において、各種情報を表示する表示部と、記録媒体に記録された楽曲を再生する再生手段とを備え、再生手段により再生中の楽曲の曲名や、アーティスト名等の楽曲に関する情報を表示部に表示する車載用電子機器が知られている（例えば、特許文献１参照）。この従来の車載用電子機器では、表示部の表示領域に、楽曲に関する情報の全てを表示しきれない場合、表示領域内で情報をスクロール表示することにより、情報の全体を表示したり、また、情報を分割して表示部に表示したりするものがある。
【特許文献１】特開２００２−２１６４６２号公報
【発明の開示】
【発明が解決しようとする課題】
【０００３】
ところで、車載用電子機器が搭載された車両の運転手が、表示部に表示された情報を参照する場合、車両を停車したタイミングで参照する場合が多い。ここで、従来の車載用電子機器では、運転手が車両を停車し、表示部を参照したときに、情報をその先頭から参照することがでず、十分な情報を得ることができないことがあった。具体的には、例えば表示部に楽曲の曲名をスクロール表示している場合において、運転手が車両の停車後に表示部を参照したときに、曲名の後半部分が表示部に表示されている状態であることがあり、曲名を先頭から知ることができず、正確な曲名を取得できないことがあった。この場合、運転手は、曲名を先頭から表示部に表示する旨の操作をしたり、また、スクロール表示によって再び表示部に曲名が先頭から表示されるのを待ったりする必要があり、運転手の快適性がよくないという問題があった。
【０００４】
本発明は、上述した事情に鑑みてなされたものであり、運転手の快適性を向上した車載用電子機器を提供することを目的とする。
【課題を解決するための手段】
【０００５】
上記目的を達成するために、本発明は、車載用電子機器において、車両が停車したことを検出する停車検出手段と、前記車両の走行中、情報の表示位置を変化させながら前記情報を表示する表示部と、を備え、前記停車検出手段によって前記車両が停車したことを検出したときに、前記表示部の表示を、前記情報の表示位置の変化の開始時の表示にすることを特徴とする。
この構成によれば、車両が停止したとき、表示部の表示状態が、情報の表示位置の変化の開始時の状態となる。このため、運転手は、例えば、車両の停車後に、操作部を操作したり、また、しばらく待機したりすることによって表示部の表示を情報の表示位置の変化の開始時に戻すことなく、情報を変化の開始時から参照することができ、快適性の向上を図ることができる。
【０００６】
ここで、上記発明の車載用電子機器において、前記表示部の表示モードとして、前記表示部に前記情報を表示した後、スクリーンセーバ画面を表示するスクリーンセーバ移行モードを有し、前記スクリーンセーバ移行モード実行中に、前記停車検出手段によって車両が停車したことを検出したときに、前記表示部にスクリーンセーバ画面が表示されているときは、前記スクリーンセーバ画面の表示を停止し、前記表示部の表示を、前記情報の表示位置の変化の開始時の表示にするようにしてもよい。
この構成によれば、車両の停車前にスクリーンセーバ画面が表示されている場合であっても、車両の停車時には、表示部の表示状態が、情報の表示位置の変化の開始時の状態となる。このため、運転手は、例えば、車両の停車後に、操作部を操作したり、また、しばらく待機したりすることによって表示部の表示を情報の表示位置の変化の開始時に戻すことなく、情報を変化の開始時から参照することができ、快適性の向上を図ることができる。
【０００７】
また、上記発明の車載用電子機器において、前記表示部は、前記情報を表示領域内でスクロールすることにより、前記情報の表示位置を変化させながら、前記情報を表示し、前記停車検出手段によって前記車両が停車したことを検出したときに、前記表示部の表示を、前記情報のスクロール開始時の表示にするようにしてもよい。
この構成によれば、車両の停止時に、表示部の表示状態が、情報のスクロール表示の開始時の状態となるため、運転手は、例えば、車両の停車後に、操作部を操作したり、また、しばらく待機したりすることによって表示部の表示状態をスクロール表示の開始時の状態にすることなく、情報をスクロール表示の開始時から参照する、すなわち、情報をその先頭から参照することができ、快適性の向上を図ることができる。
【０００８】
また、上記発明の車載用電子機器において、前記表示部は、前記情報を分割し、分割した前記情報を順次表示することにより、前記情報の表示位置を変化させながら、前記情報を表示し、前記停車検出手段によって前記車両が停止したことを検出したときに、前記表示部の表示を、前記分割した情報の順次表示の開始時の表示にするようにしてもよい。
この構成によれば、車両の停止時に、表示部の表示状態が、情報の分割表示の開始時の状態となるため、運転手は、例えば、車両の停車後に、操作部を操作したり、また、しばらく待機したりすることによって表示部の表示状態を分割表示の開始時の状態にすることなく、情報を分割表示の開始時から参照する、すなわち、情報をその先頭から参照することができ、快適性の向上を図ることができる。
【０００９】
また、上記発明の車載用電子機器において、記録媒体に記録された楽曲を再生する楽曲再生手段をさらに有し、前記情報は、前記楽曲再生手段によって再生中の楽曲に関する情報を含むようにしてもよい。
この構成によれば、運転手は、車両の停車時に、再生中の楽曲に関する情報を容易、かつ、速やかに取得することができる。
【００１０】
また、上記発明の車載用電子機器において、放送信号を受信し、受信した放送信号の放送を再生する放送再生手段をさらに有し、前記情報は、前記放送再生手段によって再生中の放送に関する情報を含むようにしてもよい。
この構成によれば、運転手は、車両の停車時に、再生中の放送に関する情報を容易、かつ、速やかに取得することができる。
【００１１】
また、上記目的を達成するために、本発明は、車両が停車したことを検出する停車検出手段と、前記車両の走行中、情報の表示位置を変化させながら、前記情報を表示する表示部と、を備える車載用電子機器の制御方法において、前記停車検出手段によって前記車両が停車したことを検出し、前記表示部の表示を、前記情報の表示位置の変化の開始時の表示にすることを特徴とする。
【００１２】
また、上記目的を達成するために、本発明は、車両が停車したことを検出する停車検出手段と、前記車両の走行中、情報の表示位置を変化させながら、前記情報を表示する表示部と、を備える車載用電子機器を制御するための制御プログラムにおいて、前記停車検出手段によって前記車両が停車したことを検出させ、前記表示部の表示を、前記情報の表示位置の変化の開始時の表示にさせることを特徴とする。
【発明の効果】
【００１３】
本発明によれば、運転手が車両を停車した際、表示部の表示が情報の表示位置の変化の開始時の表示となるため、運転手は、特別な操作をしたり、待機したりする必要が無く、運転手の快適性が向上する。
【発明を実施するための最良の形態】
【００１４】
以下、図面を参照して本発明の実施の形態について説明する。
図１は、本実施形態に係る車載用電子機器１の正面図である。車載用電子機器１は、車両に搭載され、ユーザの操作に応じて、車両に搭載されたスピーカ２，２から音楽ＣＤや音声放送に係る音声を出力するものである。なお、本実施形態に係る車載用電子機器１は、略箱形の機器本体（不図示）と、この機器本体の前面に対し開閉可能に設けられたエスカッション３とを有しており、このエスカッション３を開いた状態のときに、機器本体の前面に設けられた音楽ＣＤ挿入口（不図示）が露出する構成となっている。
【００１５】
図１に示すように、車載用電子機器１のエスカッション３の正面略中央に、液晶ディスプレイ及びＥＬディスプレイ等によって構成された表示部４が配置されている。この表示部４には、車載用電子機器１の動作モードや現在時刻等の各種情報の他、再生中の音楽ＣＤの楽曲の曲名及びアーティスト名や、受信中の音声放送のチャンネル番号及び番組名が表示される。
また、エスカッション３には、表示部４の他、図１に示すように、操作指示用の複数のプッシュ式スイッチ５等が設けられている。
【００１６】
図２は、車載用電子機器１の機能的構成を示すブロック図である。この図に示すように、車載用電子機器１は、上述した表示部４の他、制御部１０と、操作部１１と、再生部１２と、を備えている。
制御部１０は、車載用電子機器１の各部を中枢的に制御するものであり、演算実行手段としてのメインマイコン１０Ａと、表示部４の表示を制御する表示用マイコン１０Ｂとを備えている。この制御部１０は、記憶手段としてのＲＯＭ、ワークエリアとして機能するＲＡＭを有している。また、制御部１０は、クロック回路を備えており、現在の日時をカウントする機能や、時間の経過時間を測定する機能等を有している。
また、制御部１０は、コネクタ９を介して接続された車速センサ１３から、車両の速度を示す信号を受信し、この受信した信号に基づいて、車両の速度を検出すると共に、車両が停止たことを検出する。すなわち、制御部１０は、車両が停車したことを検出する停車検出手段として機能する。
操作部１１は、動作モードの変更の指示操作や、再生すべき楽曲の変更指示や、受信中のデジタル放送のチャンネルの切り替え等、ユーザが各種指示操作を行うためのものであり、上述したプッシュ式スイッチ５を備える。
【００１７】
再生部１２は、制御部１０の制御の下、各種コンテンツを再生するものであり、楽曲再生部１２Ａ（楽曲再生手段）と、放送再生部１２Ｂ（放送再生手段）と、を備えている。
楽曲再生部１２Ａは、音楽ＣＤに記録された楽曲や図示せぬハードディスクに記録された楽曲を再生するものである。楽曲の再生中、楽曲再生部１２Ａは、楽曲の音声信号をステレオ用のアンプ１４、１４に出力し、このアンプ１４、１４は、入力された音声信号を増幅してコネクタ１５，１５を介してスピーカ２，２に出力し、このスピーカ２，２は、増幅された音声信号を音声出力する。なお、楽曲再生部１２Ａは、音楽ＣＤやハードディスクに記録された楽曲のみならず、例えば、ＭＤやＤＶＤ等に記録された楽曲を再生するものであってもよい。
この楽曲再生部１２Ａによる楽曲の再生中、制御部１０は、音楽ＣＤに記録された情報から、又は、ハードディスク等の記録装置（不図示）に記録された情報から、再生中の楽曲の曲名及びアーティスト名に係るデータを取得する。そして、制御部１０の表示用マイコン１０Ｂは、表示部４を制御し、取得した曲名及びアーティスト名に係るデータに基づいて、表示部４に曲名及びアーティスト名に関する情報を表示する（以下、表示部４に表示する曲名及びアーティスト名を「楽曲関連情報」という）。なお、このときの表示の具体的な状態については、後に詳述する。
【００１８】
放送再生部１２Ｂは、デジタル音声放送の放送信号を受信し、この受信した放送信号に係るデジタル音声放送を再生するものである。デジタル音声放送の再生中、放送再生部１２Ｂは、受信中のデジタル音声放送の音声信号をステレオ用のアンプ１４、１４に出力し、このアンプ１４、１４は、入力された音声信号を増幅してコネクタ＿，＿を介してスピーカ２，２に出力し、このスピーカ２，２は、増幅された音声信号を音声出力する。なお、放送再生部１２Ｂは、デジタル音声放送の放送信号のみならず、アナログ音声放送や、デジタル映像放送等の放送信号を受信するものであってもよい。
デジタル音声放送の再生中、放送再生部１２Ｂは、放送信号に重畳された信号から、デジタル放送信号のチャンネル番号及び番組名を示す信号を抽出し、これらチャンネル番号及び番組名を示すデータを制御部１０に出力する。そして、制御部１０の表示用マイコン１０Ｂは、表示部４を制御し、取得したチャンネル番号及び番組名に係るデータに基づいて、表示部４にチャンネル番号及び番組名に関する情報（以下、表示部４に表示するチャンネル番号及び番組名を「放送関連情報」という）を表示する。なお、このときの表示の具体的な状態については、後に詳述する。
【００１９】
次いで、車載用電子機器１が、上述した楽曲関連情報や、放送関連情報を表示部４に表示する際の動作について、表示部４の具体的な状態と共に説明する。
本実施形態では、再生部１２によって楽曲が再生されている際や、デジタル音声放送が再生されている際は、表示部の表示モードとして通常表示モード（スクリーンセーバ移行モード）が実行される。この通常表示モードにおいては、所定期間の間、後述するスクロール表示や分割表示によって、情報の表示位置を変化させながら、この情報を表示部４に表示した後、表示部４にスクリーンセーバ画面が表示される。以下、図３のフローチャートを用いて、この通常表示モード実行時における動作について詳述する。
なお、以下の動作実行中に、ユーザによって車載用電子機器１に対し何らかの操作があった場合、通常表示モードの実行が中断され、この操作に対応した表示が表示部４になされる。
【００２０】
図３のステップＳＡ１において、制御部１０は、予め定められた期間、表示部４への情報のスクロール表示を開始する。ここで、スクロール表示について詳述する。
スクロール表示とは、例えば楽曲関連情報を表示部４に表示する場合において、表示部４に、まず、楽曲関連情報の先頭から表示できる範囲で表示し、その後、楽曲関連情報の中で表示されていない後半部分を表示部４に表示するべく、関連情報を表示部４の表示領域内でスクロールさせて表示する方法である。具体的には、楽曲関連情報が「○○○△△△×××□□□」の１２文字であり、表示部４に一度に表示可能な文字数が６文字である場合、図４（状態Ａ）に示すように、まず、表示部４に、楽曲関連情報の先頭６文字（「○○○△△△」）を表示し、その後、楽曲関連情報を正面左へ向かってスクロールし（（状態Ｂ））、最終的に楽曲関連情報の全体が表示部４に表示されるようにすることである。これにより、車両の運転手等のユーザは、表示部４に一度に表示しきれないような情報であっても、情報の全体を把握することができる。
なお、上述したように、本実施形態において、制御部１０は、予め定められた期間、このスクロール表示を行う構成であるが、これは、情報を先頭から末尾まで所定回数表示するまでの間このスクロール表示を行う構成であってもよい。
【００２１】
スクロール表示によって情報を表示した後、制御部１０は、予め定められた期間、表示部４への情報の分割表示を開始する。ここで、分割表示について詳述する。
分割表示とは、例えば楽曲関連情報を表示部４に表示する場合において、楽曲関連情報を表示部４に表示できる範囲で分割し、分割した情報を、順次、表示部４に表示する方法である。具体的には、図５に示すように、楽曲関連情報が「○○○△△△×××□□□」の１２文字であり、表示部４に一度に表示可能な文字数が６文字である場合、例えば、楽曲関連情報を「○○○△△△」と、「×××□□□」とに分割し、まず、情報の先頭が表示されている「○○○△△△」を表示部４に所定期間表示し（図５（状態Ｃ））、その後、楽曲関連情報の後半部分の「×××□□□」を表示部４に所定期間表示する（図５（状態Ｄ））ことである。これにより、運転手等のユーザは、表示部４に一度の表示しきれないような情報であっても、情報の全体を把握することができる。
なお、上述したように、本実施形態において、制御部１０は、予め定められた期間、この分割表示を行う構成であるが、これは、分割表示を所定回数繰り返すまでの間この分割表示を行う構成であってもよい。
【００２２】
分割表示によって情報を表示した後、制御部１０は、スクリーンセーバ画面の表示を開始する（ステップＳＡ３）。スクリーンセーバ画面の表示とは、表示部４に上記楽曲関連情報や放送関連情報を表示することを中断し、例えば、スクリーンセーバとして機能する現在時刻を表示したり、デモ画面を表示したりすることであり、これにより、表示部４への画像の焼き付きを防止すると共に、視覚を通じてユーザを楽しませる。このスクリーンセーバ画面の表示は、ユーザによって車載用電子機器１に対し何らかの操作が行われるまで、続けられる。
【００２３】
ところで、車両の運転手が、表示部４に表示された情報を参照する場合、車両を停車させたタイミングで参照することが多い。ここで、上記通常表示モード実行中においては、運転手が車両を停車し、表示部４を参照した場合に、表示部４の表示から十分な情報を得られないことがあった。具体的には、車両停車時の表示部４の状態が、上述したスクロール表示が行われている場合において、表示部４を参照したときに、情報が先頭から表示されていない状態（図４（状態Ｂ）に示す状態）や、上述した分割表示が行われている場合において、表示部４を参照したときに、分割された情報のうち、情報の先頭部分が含まれない情報が表示されている状態（図５（状態Ｄ）に示す状態）であり、情報を先頭から読むことができず、十分な情報を得ることができないことがあった。この場合、運転手は、再び情報の先頭からスクロール表示や分割表示が行われるまで待機したり、また、操作部１１を操作して情報を先頭から表示したりする必要があり、快適性がよくなかった。
このほか、表示部４にスクリーンセーバ画面を表示している状態のときも、表示部４に情報の表示がなされないため、運転手は、表示部４の表示を参照することによって情報を得ることができなかった。この場合、運転手は、操作部１１を操作して情報を先頭から表示する必要があり、快適性がよくなかった。
【００２４】
これを鑑み、本実施形態では、車両の停車時に、表示部４の表示を、スクロール表示による表示部４における情報の表示位置の変化の開始時の状態、すなわち、情報が先頭から表示された状態に戻した後、情報のスクロールを開始する構成となっている。この構成のため、運転手が車両を停車した後に、表示部４を参照した場合、情報が、その先頭からスクロール表示され、運転手は、操作部１１を操作したり、しばらくの間待機したりすることなく、情報を先頭から確実に参照することができ、運転手の快適性が向上する。
以下、図６のフローチャートを用いて、本実施形態に係る車載用電子機器１の動作について詳述する。なお、以下の説明において、説明の便宜のため、車載用電子機器１が車両に搭載され、この車両が走行中であり、かつ、車載用電子機器１を利用して音楽ＣＤに記録された楽曲が再生されているものとする。従って、本実施形態では、表示部４に楽曲関連情報が表示される場合を例にして説明するが、表示部４に放送関連情報を表示する場合であっても略同一の動作が行われる。
【００２５】
図６のステップＳＢ１において、制御部１０は、再生中の楽曲に係る楽曲関連情報について、通常表示モードの表示方法に基づいて、表示部４に表示する（ステップＳＢ１）。この通常表示モードの実行中、制御部１０は、車両が停車したか否かを監視する（ステップＳＢ２）。車両が停車していない場合（ステップＳＢ２：ＮＯ）、制御部１０は、通常表示モードの実行を継続する。車両が停車した場合（ステップＳＢ２：ＹＥＳ）、制御部１０は、現在、表示部４にスクリーンセーバ画面が表示されているか否かを判定する（ステップＳＢ３）。スクリーンセーバ画面が表示されている場合（ステップＳＢ３：ＹＥＳ）、制御部１０は、このスクリーンセーバ画面の表示を停止し、処理手順をステップＳＢ５へ移す。スクリーンセーバ画面が表示されていない場合（ステップＳＢ３：ＮＯ）、制御部１０は、処理手順をステップＳＢ５へ移す。
【００２６】
ステップＳＢ５において、制御部１０は、表示部４の表示状態を、スクロール表示による表示部４における情報の表示位置の変化の開始時の状態、すなわち、楽曲関連情報が先頭から表示された状態に戻し、再び、情報のスクロール表示を開始する。本実施形態では、このステップＳＢ５に示すように、車両が停車すると、現在の表示部４の表示状態に関らず、表示部４の表示を情報のスクロール表示の開始時の状態に戻し、再び、情報のスクロールを行う。このため、車両の運転手は、車両を停車した後、表示部４の表示を参照したときには、楽曲関連情報が先頭から表示部４にスクロール表示されることとなり、運転手は、操作部１１を操作したり、しばらく待機したりすることなく、有意義な情報を取得することができる。
【００２７】
なお、本実施形態では、車両が停車したときに、表示部４の表示を楽曲関連情報のスクロール表示の開始時の状態に戻す構成となっているが、これは、表示部４の表示状態を、分割表示による表示部４における情報の表示位置の変化の開始時の状態に戻す構成であってもよい。この構成であっても、楽曲関連情報が先頭から表示部４に分割表示されることとなり、運転手は、操作部１１を操作したり、しばらく待機したりすることなく、有意義な情報を取得することができる。
また、本実施形態では、車両の停車直後に表示部４の表示を、スクロール表示の開始時の状態に戻す構成となっているが、運転手は、車両の停車直後ではなく、車両の停車後少し間をあけて表示部４を参照することもあるため、例えば、車両が停車してから５秒後に、表示部４の表示を、スクロール表示の開始時の状態に戻す構成であってもよい。
【００２８】
表示部４の表示状態を、情報の表示位置の変化開始時の表示状態に戻した後、制御部１０は、車両が走行を開始したか否かを監視する（ステップＳＢ６）。走行を開始した場合（ステップＳＢ６：ＹＥＳ）、制御部１０は、ステップＳＢ１に処理を戻し、再び、通常表示モードの表示方法に基づいて楽曲関連情報の表示を行う。
一方、走行が開始されない場合（ステップＳＢ６：ＮＯ）、すなわち、車両が停車中の間は、制御部１０は、停車中における表示部４への情報の表示方法に基づいて、楽曲関連情報の表示を継続する。ここで、停車中における表示部４への情報の表示方法について、具体的に例を挙げて説明する。
【００２９】
先ず、停車中における表示部４への楽曲関連情報の表示方法の具体的な例として、停車中の間、絶えず、楽曲関連情報のスクロール表示を続ける表示方法が挙げられる。この方法によれば、運転手は、停車中いつでも、楽曲関連情報を参照することができる。なお、スクロール表示のみを続ける表示方法ではなく、例えば、スクロール表示と分割表示を交互に行う表示方法でもよく、また、停車後にスクロール表示でなく、分割表示を行う場合は、分割表示をし続けてもよい。
また、表示方法の具体的な例として、停車中の間も通常表示モードと同様の表示を行う表示方法が挙げられる。この方法によれば、停車中においても走行中と同様の表示が行われることとなり、表示部４に運転手が見慣れた表示がなされることとなる。
【００３０】
ここで、停車中における表示部４への情報の表示方法は１つに限定されない。具体的には、停車中における情報の表示方法を、ユーザが設定できるように構成し、このユーザが設定した表示方法に基づいて表示部４への情報の表示を行ってもよい。例えば、ユーザが操作部１１を操作することにより、上述した表示方法のうちからひとつの表示方法を選択可能に構成し、また、操作部１１の操作により表示方法を任意に設定できるように構成し、ユーザが選択、又は、設定した表示方法によって、表示部４への表示を行うようにしてもよい。これによれば、車両の停車後、表示部４の表示が、ユーザにとって望ましい表示状態となる。
また、車両を停車した際の停車方法によって表示部４への表示方法を変更する構成としてもよい。例えば、ユーザがサイドブレーキを引くことなく停車した場合は、すぐに再び車両の走行が開始されることが考えられるため、楽曲関連情報をスクロール表示し続ける構成とし、ユーザがサイドブレーキを引いて停車した場合は、比較的長い間停車し続けることが予想されるため、通常表示モードを実行し、所定時間後にスクリーン画面の表示がなされる構成とする。このように、停車方法によって表示部４への表示方法を変更するこちによって、情報を表示部４に適切な表示方法によって表示することができる。
【００３１】
以上説明したように、本実施の形態によれば、車両が停止したとき、表示部４の表示状態が、スクロール表示による表示部４における情報の表示位置の変化の開始時の状態、すなわち、情報が先頭から表示された状態となる。このため、運転手は、例えば、車両の停車後に、操作部１１を操作したり、また、しばらく待機したりすることによって表示部４の表示をスクロール表示の開始時に戻すことなく、情報のスクロール表示の開始時から参照、すなわち、情報の先頭から参照することができ、快適性の向上を図ることができる。
なお、上述したように、本実施形態では、車両が停止したときに、表示部４の表示状態を、スクロール表示の開始時の表示に戻す態様について説明したが、これは、車両が停止したときに、表示部４の表示状態を、分割表示による表示部４における情報の表示位置の変化の開始時の状態に戻す構成であってもよい。この構成であっても、楽曲関連情報が先頭から表示部４に分割表示されることとなり、運転手は、操作部１１を操作したり、しばらく待機したりすることなく、有意義な情報を取得することができる。
【００３２】
また、本実施の形態によれば、車両の停車前にスクリーンセーバ画面が表示されている場合であっても、車両の停車時には、表示部４の表示状態が、スクロール表示の開始時の状態となる。このため、運転手は、例えば、車両の停車後に、操作部１１を操作したり、また、しばらく待機したりすることによって表示部４の表示を、スクロール表示の開始時に戻すことなく、情報のスクロール表示の開始時から参照、すなわち、情報の先頭から参照することができ、快適性の向上を図ることができる。
また、本実施の形態によれば、停車後、表示位置の変化の開始時に戻される情報に、楽曲関連情報を含んでいる。このため、運転手は、車両の停車時に、再生中の楽曲に関する情報を容易、かつ、速やかに取得することができる。
また、本実施の形態によれば、停車後、表示位置の変化の開始時に戻される情報に、放送関連情報を含んでいる。このため、運転手は、車両の停車時に、再生中の放送に関する情報を容易、かつ、速やかに取得することができる。
【００３３】
なお、上述した実施の形態は、あくまでも本発明の一態様を示すものであり、本発明の範囲内で任意に変形および応用が可能である。
例えば、本実施形態では、通常表示モード実行時においては、情報を、スクロール表示した後、分割表示する構成であったが、表示の順番はこれに限らず、例えば、分割表示した後、スクロール表示する構成であってもよく、また、スクロール表示を続ける構成であってもよい。すなわち、本発明では、車両が停車したときに、表示部４の表示状態が、スクロール表示の開始時の表示状態や、分割表示の開始時の表示状態等、表示位置の変化の開始時の表示状態となればよい。
また、本実施形態では、楽曲関連情報は、曲名とアーティスト名とを含んでいたが、楽曲関連情報が含むべき情報はこれに限らず、例えば、曲調や曲のジャンル等の楽曲に関連する情報を含んでいてもよい。同様に、本実施形態では、放送関連情報は、チャンネル番号と番組名とを含んでいたが、放送関連情報が含むべき情報はこれに限らず、例えば、周波数に関する情報や、デジタル放送の番組に関する情報を含んでいてもよい。
また、本実施形態では、表示部４に表示される情報として、楽曲関連情報及び放送関連情報を例に挙げて説明したが、表示部４に表示される情報であって、車両の停車時に、表示位置の変化の開始時の表示状態となる情報は、これら情報に限らず、例えば、ＶＩＣＳ情報等の交通に関する情報であってもよい。
【図面の簡単な説明】
【００３４】
【図１】本実施形態に係る車載用電子機器の正面図である。
【図２】車載用電子機器の機能的構成を示すブロック図である。
【図３】通常表示モード実行時の動作を示すフローチャートである。
【図４】スクロール表示の表示態様を示す図である。
【図５】分割表示の表示態様を示す図である。
【図６】車載用電子機器の動作を示すフローチャートである。
【符号の説明】
【００３５】
１  車載用電子機器
４  表示部
１０    制御部
１０Ａ  メインマイコン
１０Ｂ  表示用マイコン
１２  再生部
１２Ａ  楽曲再生部
１２Ｂ  放送再生部
１３  車速センサ
【図１】
2009120052.tif 000003
【図２】
2009120052.tif 000004
【図３】
2009120052.tif 000005
【図４】
2009120052.tif 000006
【図５】
2009120052.tif 000007
【図６】
2009120052.tif 000008